(57)【特許請求の範囲】
【請求項１】
外甲側底部片（Ａ１′）に連接して外甲側側部片（Ａ１″）を形成した外甲側内装体（Ａ１）および内甲側底部片（Ａ２′）に連接して内甲側側部片（Ａ２″）を形成した内甲側内装体（Ａ２）の２枚により立体的に形成された防水透湿性を有するシューズ内装体（Ａ）であって、
前記外甲側底部片（Ａ１′）の外甲側底部中心接合縁（１）の土踏まず部が外甲側に膨出して形成され、また内甲側底部片（Ａ２′）の内甲側底部中心接合縁（２１）の土踏まず部が内甲側に膨出して形成され、該外甲側底部中心接合縁（１）および内甲側底部中心接合縁（２１）を縫着することで、底部が靴型（３０）の土踏まず部形状に沿う立体形状をなし、
かつ、つま先部の外甲側底部片（Ａ１′）と外甲側側部片（Ａ１″）との分離点の位置（ａ）、つま先部の内甲側底部片（Ａ２′）と内甲側側部片（Ａ２″）との分離点の位置（ｃ）は歩行時の屈曲部に相当していることを特徴とするシューズ内装体（Ａ）。
【発明の詳細な説明】
【０００１】
【発明の属する技術分野】
本発明は、防水透湿性シートからなるシューズ内装体の土踏まず部の適合に関するものである。
【０００２】
【従来の技術】
従来から、靴の内部に取り付ける防水性素材ないし防水透湿性素材を立体的に形成したシューズ内装体が開示されている。
その一例を示すと、特公昭６３−３４７２１号では、図６に示すように、足裏素材の両側に側片部を一体に形成した基体を防水透湿層をもった単一素材片で形成し、該素材片によって足部全般を被包する内装基体を形成し、該内装基体に外被部体を履着した靴が示されている。
実公平７−８３号では、表面が熱融着性を具備した防水透湿性シートを用いて、底部材と左右の周側部材と甲部材とに裁断形成し、これら各部材相互を、熱融着性表面を外表面として靴型に継縫し、該継縫部分の外表面に、縫い目テープを熱着被覆したゴルフ靴用インナーシューズが示されている。
実公平７−６８０６号では、図７に示すように、防水透湿性を有する層構成の底片部材および側片部材から立体的に形成された靴製造用の内装体が示されている。
【０００３】
【発明が解決しようとする課題】
従来提案されている防水透湿性素材を用いた内装体は、１枚の部材あるいは２〜４枚の部材で立体的に形成しているが、いずれも足裏の底面部は平面形状となっている。従って、内装体を靴型に被着したとき、靴型の土踏まず部の立体形状に密着できず隙間が発生し、靴成形時にしわやたるみを生じ、足のフィッティング性を阻害する問題があった。
また、２〜４枚の部材で立体的に形成した内装体で、底部材の外周と側部材とを縫着するものは、つま先部と踵部の外周の曲線と、土踏まず部の外周の曲線が逆方向となり、方向の異なる連続曲線を縫着する作業は難しく、熟練を要するものであった。
【０００４】
【課題を解決するための手段】
そこで本発明では、外甲側内装体と内甲側内装体よりなるシューズ内装体において、防水透湿性シートよりシューズ内装体の底面部の略中心線で外甲側内装体と内甲側内装体に裁断分離し、外甲側内装体の外甲側底部中心接合縁および内甲側内装体の内甲側底部中心接合縁の土踏まず部を、夫々外甲側および内甲側に膨出して形成し、該外甲側底部中心接合縁および内甲側底部中心接合縁を縫着することで、底部が靴型の土踏まず部形状に沿う立体形状をなし、足裏の土踏まず部に適合するようにする。
【０００５】
【発明の実施の形態】
本発明のシューズ内装体は、防水透湿性シートより底面部の略中心線で外甲側内装体と内甲側内装体に裁断分離し、該外甲側内装体と内甲側内装体を縫着し立体的に形成したものである。
【０００６】
外甲側内装体は外甲側底部片に連接して外甲側側部片を形成している。該外甲側底部片は、外甲側底部片のつま先部を外甲側底部片と外甲側側部片との分離点から外甲側底部中心接合縁まで円弧状の外甲側底部つま先接合縁、および外甲側底部片の踵部を外甲側底部片と外甲側側部片との分離点から外甲側底部中心接合縁まで円弧状の外甲側底部踵接合縁を形成している。また、外甲側底部中心接合縁の土踏まず部を外甲側に膨出して形成している。
なお、つま先部の外甲側底部片と外甲側側部片との分離点の位置は、歩行時の屈曲部に相当している。
【０００７】
外甲側側部片は、つま先部に前記外甲側底部片と外甲側側部片との分離点から外甲側底部つま先接合縁に接合される円弧状の外甲側側部つま先接合縁を形成し、外甲側側部片の踵部に前記外甲側底部踵接合縁に接合される円弧状の外甲側側部踵接合縁、および内甲側側部片の内甲側踵後部接合縁と接合することで、踵後部を被覆する形状となる円弧状の外甲側踵後部接合縁を形成している。
また、内甲側側部片の内甲側甲上部接合縁と接合することで、つま先より甲上部を被覆する形状となる略円弧状の外甲側甲上部接合縁を形成し、前記外甲側踵後部接合縁の上端と外甲側甲上部接合縁との間を凹円弧状の外甲側はき口縁を形成している。
【０００８】
内甲側内装体は、内甲側底部片に連接して内甲側側部片を形成している。該内甲側底部片は、内甲側底部片のつま先部を内甲側底部片と内甲側側部片との分離点から内甲側底部中心接合縁まで円弧状の内甲側底部つま先接合縁、および内甲側底部片の踵部を内甲側底部片と内甲側側部片との分離点から内甲側底部中心接合縁まで円弧状の内甲側底部踵接合縁を形成している。また、内甲側底部中心接合縁の土踏まず部を内甲側に膨出して形成している。
なお、つま先部の内甲側底部片と内甲側側部片との分離点の位置は、歩行時の屈曲部に相当している。
【０００９】
内甲側側部片は、つま先部に前記内甲側底部片と内甲側側部片との分離点から内甲側底部つま先接合縁に接合される円弧状の内甲側側部つま先接合縁を形成し、内甲側側部片の踵部に前記内甲側底部踵接合縁に接合される円弧状の内甲側側部踵接合縁、および外甲側側部片の外甲側踵後部接合縁と接合することで、踵後部を被覆する形状となる円弧状の内甲側踵後部接合縁を形成している。
また、外甲側側部片の外甲側甲上部接合縁と接合することで、つま先より甲上部を被覆する形状となる略円弧状の内甲側甲上部接合縁を形成し、前記内甲側踵後部接合縁の上端と内甲側甲上部接合縁との間を凹円弧状の内甲側はき口縁を形成している。
【００１０】
前記形状に裁断された外甲側内装体と内甲側内装体の、外甲側底部つま先接合縁と外甲側側部つま先接合縁、内甲側底部つま先接合縁と内甲側側部つま先接合縁、外甲側底部踵接合縁と外甲側側部踵接合縁、内甲側底部踵接合縁と内甲側側部踵接合縁、外甲側甲上部接合縁と内甲側甲上部接合縁、外甲側底部中心接合縁と内甲側底部中心接合縁、外甲側踵後部接合縁と内甲側踵後部接合縁とを縫着接合し、底部が靴型の土踏まず部形状に沿う立体形状にする。次に、前記各縫着接合部の上部より、伸縮性のある防水テープを貼着する。
なお、外甲側甲上部接合縁と内甲側甲上部接合縁との縫着は、シューズの構造や履き易さを考慮し、該接合縁の上端まで縫着接合しない構成とすることもできる。
【００１１】
以上のように成形された左右のシューズ内装体は、靴型に被着し外被材を吊り込んだ後、シューズ内装体および外被材のはき口縁を縫着し取り付ける。
【００１２】
なお、防水透湿性シートは、公知の防水透湿性フィルム単体を用いても良いが、該防水透湿性フィルムの片面または両面に布帛を積層した層構成の防水透湿性シートを用いるほうが、足当たりが良くなり、はき口周りの見栄えも良くなり、好ましい。
【００１３】
【実施例】
本発明の実施例を図面を用いて説明すると、図１は本発明のシューズ内装体Ａの展開平面図で、外甲側内装体Ａ１および内甲側内装体Ａ２は、防水透湿性シートより抜型により裁断分離したものである。
【００１４】
外甲側内装体Ａ１は、シューズ内装体Ａの底面部の略中心線で外甲側に裁断分離された外甲側底部片Ａ１′と該外甲側底部片Ａ１′に連接した外甲側側部片Ａ１″からなっている。また、内甲側内装体Ａ２は、シューズ内装体Ａの底面部の略中心線で内甲側に裁断分離された内甲側底部片Ａ２′と該内甲側底部片Ａ２′に連接した内甲側側部片Ａ２″からなっている。
【００１５】
外甲側底部片Ａ１′は、外甲側底部中心接合縁１の土踏まず部が２５ｃｍの足長で約１ｃｍ外甲側に膨出して形成しており、つま先部の外甲側底部片Ａ１′と外甲側側部片Ａ１″との分離点ａから外甲側底部中心接合縁１まで、つま先部の底面外甲側の曲線となる外甲側底部つま先接合縁２を形成している。
また、踵部の外甲側底部片Ａ１′と外甲側側部片Ａ１″との分離点ｂから外甲側底部中心接合縁１まで、踵部の底面外甲側の曲線となる外甲側底部踵接合縁３を形成している。
【００１６】
外甲側側部片Ａ１″は、つま先部に前記外甲側底部片Ａ１′と外甲側側部片Ａ１″との分離点ａから外甲側底部つま先接合縁２に接合される外甲側側部つま先接合縁４が、外甲側底部つま先接合縁２の曲線とは逆方向に形成され、外甲側底部つま先接合縁２と外甲側側部つま先接合縁４とで、分離点ａを下端とする略Ｖ字の形状を呈している。
【００１７】
また、踵部に外甲側底部片Ａ１′と外甲側側部片Ａ１″との分離点ｂから前記外甲側底部踵接合縁３に接合される外甲側側部踵接合縁５が円弧状に形成され、外甲側底部踵接合縁３と外甲側側部踵接合縁５とで、分離点ｂを下端とする略Ｖ字の形状を呈している。
また、踵部に内甲側側部片Ａ２″の内甲側踵後部接合縁２６と接合することで、踵後部を被覆する形状となる円弧状の外甲側踵後部接合縁６を形成している。
【００１８】
また、外甲側側部つま先接合縁４のつま先端部より内甲側側部片Ａ２″の内甲側甲上部接合縁２７と接合される、ゆるやかな円弧状の外甲側甲上部接合縁７を形成し、前記外甲側踵後部接合縁６の上端と外甲側甲上部接合縁７との間を凹円弧状の外甲側はき口縁８を形成している。
【００１９】
内甲側底部片Ａ２′は、内甲側底部中心接合縁２１の土踏まず部が２５ｃｍの足長で約１ｃｍ内甲側に膨出して形成しており、つま先部の内甲側底部片Ａ２′と内甲側側部片Ａ２″との分離点ｃから内甲側底部中心接合縁２１まで、つま先部の底面内甲側の曲線となる内甲側底部つま先接合縁２２を形成している。
また、踵部の内甲側底部片Ａ２′と内甲側側部片Ａ２″との分離点ｄから内甲側底部中心接合縁２１まで、踵部の底面内甲側の曲線となる内甲側底部踵接合縁２３を形成している。
【００２０】
内甲側側部片Ａ２″は、つま先部に前記内甲側底部片Ａ２′と内甲側側部片Ａ２″との分離点ｃから内甲側底部つま先接合縁２２に接合される内甲側側部つま先接合縁２４が、内甲側底部つま先接合縁２２の曲線とは逆方向に形成され、内甲側底部つま先接合縁２２と内甲側側部つま先接合縁２４とで、分離点ｃを下端とする略Ｖ字の形状を呈している。
【００２１】
また、踵部に内甲側底部片Ａ２′と内甲側側部片Ａ２″との分離点ｄから前記内甲側底部踵接合縁２３に接合される内甲側側部踵接合縁２５が円弧状に形成され、内甲側底部踵接合縁２３と内甲側側部踵接合縁２５とで、分離点ｄを下端とする略Ｖ字の形状を呈している。
また、踵部に外甲側側部片Ａ１″の外甲側踵後部接合縁６と接合することで、踵後部を被覆する形状となる円弧状の内甲側踵後部接合縁２６を形成している。
【００２２】
また、内甲側側部つま先接合縁２４のつま先端部より外甲側側部片Ａ１″の外甲側甲上部接合縁７と接合される、ゆるやかな円弧状の内甲側甲上部接合縁２７を形成し、前記内甲側踵後部接合縁２６の上端と内甲側甲上部接合縁２７との間を凹円弧状の内甲側はき口縁２８を形成している。
【００２３】
前記形状に裁断された外甲側内装体Ａ１と内甲側内装体Ａ２の、外甲側底部つま先接合縁２と外甲側側部つま先接合縁４、内甲側底部つま先接合縁２２と内甲側側部つま先接合縁２４を千鳥縫いする。次に、外甲側甲上部接合縁７と内甲側甲上部接合縁２７を千鳥縫いし、外甲側底部中心接合縁１と内甲側底部中心接合縁２１を千鳥縫いする。次に、外甲側踵後部接合縁６と内甲側踵後部接合縁２６をつまみ縫いし、外甲側底部踵接合縁３と外甲側側部踵接合縁５および内甲側底部踵接合縁２３と内甲側側部踵接合縁２５を千鳥縫いすることで、底部が靴型３０の土踏まず部形状に沿う立体形状をなす。
【００２４】
図２はシューズ内装体Ａの斜視図で、図に示すように立体形状に縫着された各縫着接合部の上部より、伸縮性のある防水テープ３１を貼着する。
防水テープ３１は、まず、外甲側底部つま先接合縁２と外甲側側部つま先接合縁４および内甲側底部つま先接合縁２２と内甲側側部つま先接合縁２４の縫着部に貼着し、外甲側底部踵接合縁３と外甲側側部踵接合縁５および内甲側底部踵接合縁２３と内甲側側部踵接合縁２５の縫着部に貼着し、次に外甲側甲上部接合縁７と内甲側甲上部接合縁２７の縫着部から外甲側底部中心接合縁１と内甲側底部中心接合縁２１の縫着部および外甲側踵後部接合縁６と内甲側踵後部接合縁２６の縫着部まで直線状に貼着する。
【００２５】
図３の（ａ）は、靴型３０に本発明のシューズ内装体Ａを被着した足長方向縦断面図で、（ａ′）は靴型３０に従来のシューズ内装体Ａ′を被着した足長方向縦断面図である。（ｂ）は（ａ）のＸ−Ｘ線横断面図で、（ｂ′）は（ａ′）のＹ−Ｙ線横断面図である。
（ａ）と（ａ′）および（ｂ）と（ｂ′）に示すように、本発明のシューズ内装体Ａは、従来のシューズ内装体Ａ′のように、靴型３０との間に隙間３３が生じないので靴成形時にしわやたるみを生じない。
【００２６】
図４は防水透湿性シート３２の断面図で、防水透湿性フィルム３２′の片面に布帛３２″を公知の方法により接着したものである。該布帛３２″を各種色柄のものとし、シューズ内装体Ａの内面に用いることで、足当たりが良く、はき口周りの見栄えの良いシューズ内装体Ａとすることができる。
【００２７】
図５は本発明の他の実施例の斜視図で、外甲側甲上部接合縁７と内甲側甲上部接合縁２７との縫着を該接合縁の上端まで縫着せず、上端部を左右に開くようにし、羽根構造の外被材に縫着するようにしたものである。
【００２８】
【発明の効果】
本発明のシューズ内装体は、靴型の土踏まず部の立体形状に密着し、靴成形時にしわやたるみを生じないので、着用者の足にフィットし、履き心地の良いシューズにすることができる。
【００２９】
底部材の外周と側部材とを縫着するものは、つま先部と踵部の外周の曲線と、土踏まず部の外周の曲線が逆方向となり、方向の異なる連続曲線を縫着する作業は難しく、熟練を要するものであり手数がかかるが、本発明のシューズ内装体は、外甲側底部中心接合縁および内甲側底部中心接合縁を直線状に縫着するので、作業がし易くかつ確実に縫着できる。
また、縫着接合部の上部に接着する防水テープの貼着作業も、甲上部接合縁〜底部中心接合縁〜踵後部接合縁を直線状に貼着できるので、作業がし易くかつ確実に行える。
【００３０】
本発明のシューズ内装体は、各種のシューズに適用できるが、特にゴルフシューズに最適である。
【図面の簡単な説明】
【図１】本発明のシューズ内装体の展開平面図。
【図２】シューズ内装体の斜視図。
【図３】（ａ）は靴型に本発明のシューズ内装体を被着した足長方向縦断面図。
（ａ′）は靴型に従来のシューズ内装体を被着した足長方向縦断面図。
（ｂ）は（ａ）のＸ−Ｘ線横断面図。
（ｂ′）は（ａ′）のＹ−Ｙ線横断面図。
【図４】防水透湿性シートの断面図。
【図５】本発明の他の実施例の斜視図。
【図６】（ａ）は従来のシューズ内装体の展開平面図。
（ｂ）は（ａ）の接合状態を示した斜視図。
【図７】（ａ）は従来の他のシューズ内装体の展開平面図。
（ｂ）は（ａ）の接合状態を示した斜視図。
【符号の説明】
Ａ  シューズ内装体
Ａ′  シューズ内装体
Ａ１  外甲側内装体
Ａ１′  外甲側底部片
Ａ１″  外甲側側部片
Ａ２  内甲側内装体
Ａ２′  内甲側底部片
Ａ２″  内甲側側部片
ａ  分離点
ｂ  分離点
ｃ  分離点
ｄ  分離点
１  外甲側底部中心接合縁
２  外甲側底部つま先接合縁
３  外甲側底部踵接合縁
４  外甲側側部つま先接合縁
５  外甲側側部踵接合縁
６  外甲側踵後部接合縁
７  外甲側甲上部接合縁
８  外甲側はき口縁
２１  内甲側底部中心接合縁
２２  内甲側底部つま先接合縁
２３  内甲側底部踵接合縁
２４  内甲側側部つま先接合縁
２５  内甲側側部踵接合縁
２６  内甲側踵後部接合縁
２７  内甲側甲上部接合縁
２８  内甲側はき口縁
３０  靴型
３１  防水テープ
３２  防水透湿性シート
３２′  防水透湿性フィルム
３２″  布帛
３３  隙間
３４  防水テープ
３５  防水テープ
【図１】
0003642553.tif 000002
【図２】
0003642553.tif 000003
【図３】
0003642553.tif 000004
【図４】
0003642553.tif 000005
【図５】
0003642553.tif 000006
【図６】
0003642553.tif 000007
【図７】
0003642553.tif 000008